(57)【要約】【課題】回転電機のコアにおいて、鋼板１１をプレスによる打ち抜きで設ける場合に廃棄部分を更に低減する。【解決手段】コアの素材となる鋼板１１に関し、一部の鋼板１１は、底部１２の一部を折り曲げてヨークの内周側に突出させることができる突出片２３を有する変形鋼板２４であり、突出片２３には、穴２５が貫通している。これにより、プレスによる打ち抜きにより発生する廃棄部分の一部を突出片２３として変形鋼板２４に含ませることができるので、廃棄部分を低減することができる。【選択図】図４
2015076937.tif 000002
【特許請求の範囲】
【請求項１】
筒状のヨーク（９）、および、このヨーク（９）から外周側に突出する複数のティース（１０）を具備する回転電機（２）のコア（１）において、
素材となる鋼板（１１）は、底部（１２）およびこの底部（１２）を挟む２つの辺部（１３）を有するように折れ曲がり、
前記鋼板（１１）を複数枚積層してなる積層単位（１４、１４Ａ）を、複数、組み合わせることで前記コア（１）の骨格（１５）が構成され、
この骨格（１５）では、前記積層単位（１４、１４Ａ）の内の前記底部（１２）が積み重なる底積層部（１７）が複数組み合わさって内周側で筒部分（１９）を形成するように、かつ、前記辺部（１３）が積み重なる辺積層部（１８）が外周側に突出するように、複数の前記積層単位（１４、１４Ａ）が環状に配置され、
前記骨格（１５）の内、前記筒部分（１９）が前記ヨーク（９）の全部または一部をなすとともに、外周側に突出する前記辺積層部（１８）が前記ティース（１０）の全部または一部をなし、
一部の前記鋼板（１１）は、前記底部（１２）の一部を折り曲げて前記ヨーク（９）の内周側に突出させることができる突出片（２３）を有する変形鋼板（２４）であり、
前記突出片（２３）には、穴（２５）が貫通していることを特徴とする回転電機（２）のコア（１）。
【請求項２】
請求項１に記載の回転電機（２）のコア（１）において、
前記変形鋼板（２４）が含まれる前記積層単位（１４、１４Ａ）では、最外周に前記変形鋼板（２４）が配置されることを特徴とする回転電機（２）のコア（１）。
【請求項３】
請求項１または請求項２に記載の回転電機（２）のコア（１）において、
１つの前記変形鋼板（２４）には、折り曲げ後の前記突出片（２３）が前記ヨーク（９）の軸方向一端側、他端側の２か所で突出するように２つ設けられていることを特徴とする回転電機（２）のコア（１）。
【請求項４】
請求項３に記載の回転電機（２）のコア（１）において、
折り曲げ後の２つの前記突出片（２３）の間には、円筒部材（２７）が配置されることを特徴とする回転電機（２）のコア（１）。
【請求項５】
請求項１ないし請求項４の内のいずれか１つの回転電機（２）のコア（１）において、
前記コア（１）はステータコアであり、前記ティース（１０）にコイル（６）が巻かれることを特徴とする回転電機（２）のコア（１）。
【請求項６】
請求項５に記載の回転電機（２）のコア（１）において、
前記回転電機（２）は、内燃機関の出力により回転駆動される発電機（２）であり、
前記突出片（２３）の内周端は、前記内燃機関側の部材（３１）に対して外嵌めされることを特徴とする回転電機（２）のコア（１）。
【発明の詳細な説明】
【技術分野】
【０００１】
本発明は、回転電機のコアに関する。
【背景技術】
【０００２】
従来から、回転電機のコアでは、いわゆる磁束の短絡を抑制するため、周方向に鋼板を積層することでティースを構成する技術が知られている。また、このようなコアの一例として、リラクタンスモータの回転子において断面が略Ｌ字を呈する鋼板を積層してＬ字の積層単位を構成し、積層単位のＬ字の両辺により突極（ティース）を構成するものが公知である（例えば、特許文献１参照。）。
【０００３】
ここで、鋼板をプレスによる打ち抜きで設ける場合、略Ｌ字の鋼板は、軸方向に積層するように設けられた鋼板に比べて、廃棄部分が少なくなり素材コストの点で優位である。特に、アウターに使用されるコアの場合（例えば、特許文献２参照。）、軸方向に積層するには、内周が空いた形状に鋼板を設ける必要があり、素材コストの優位性がより顕著になる。
しかし、コストダウンの要求は高まる一方であり、更なる廃棄部分の低減策が求められている。
【先行技術文献】
【特許文献】
【０００４】
【特許文献１】実用新案登録第２５９８３３６号公報
【特許文献２】特開２０１３−０１３１８０号公報
【発明の概要】
【発明が解決しようとする課題】
【０００５】
本発明は、上記の問題点を解決するためになされたものであり、その目的は、回転電機のコアにおいて、鋼板をプレスによる打ち抜きで設ける場合に廃棄部分を更に低減することにある。
【課題を解決するための手段】
【０００６】
本願の回転電機のコアは、筒状のヨーク、および、ヨークから外周側に突出する複数のティースを具備する。また、素材となる鋼板は、底部および底部を挟む２つの辺部を有するように折れ曲がり、鋼板を複数枚積層してなる積層単位を、複数、組み合わせることでコアの骨格が構成される。また、骨格では、積層単位の内の底部が積み重なる底積層部が複数組み合わさって内周側で筒部分を形成するように、かつ、辺部が積み重なる辺積層部が外周側に突出するように、複数の積層単位が環状に配置される。そして、骨格の内、筒部分がヨークの全部または一部をなすとともに、外周側に突出する辺積層部がティースの全部または一部をなす。
【０００７】
また、一部の鋼板は、底部の一部を折り曲げてヨークの内周側に突出させることができる突出片を有する変形鋼板であり、突出片には、穴が貫通している。
これにより、廃棄部分の一部を突出片として変形鋼板に含ませることができるので、廃棄部分を低減することができる。なお、突出片は、コアを他部材に取り付ける際の取付片として利用することができる。
【図面の簡単な説明】
【０００８】
【図１】コアを備える回転電機を示す断面図である（実施例）。
【図２】鋼板の斜視図である（実施例）。
【図３】曲げ加工前の材料の平面図である（実施例）。
【図４】変形鋼板の斜視図である（実施例）。
【図５】（ａ）は鋼板が積層される様子を示す説明図であり、（ｂ）は積層単位の平面図である（実施例）。
【図６】骨格を示す平面図である（実施例）。
【図７】コアの要部を示す要部説明図である（実施例）。
【図８】コアの要部を示す要部説明図である（変形例）。
【発明を実施するための形態】
【０００９】
実施形態の回転電機のコアを、実施例を用いて説明する。
【実施例】
【００１０】
〔実施例の構成〕
実施例のコア１の構成を、図１〜図７を用いて説明する。
コア１は、例えば、回転電機としての発電機２のステータ３に用いられるステータコアであり、発電機２は、例えば、車両に搭載されて内燃機関の出力により回転駆動される。
すなわち、発電機２は、クランクシャフト４に固定されて内燃機関の出力により回転するロータ５と、コイル６が装着されてロータ５の内周側に配置されるステータ３とを備える（図１参照。）。そして、発電機２は、ロータ５に装着された磁石７が発生する磁束によりコイル６に起電力を誘導して発電する。
【００１１】
コア１は、円筒状のヨーク９、および、ヨーク９から外周側に突出してコイル６が巻かれる複数のティース１０を具備する。また、コア１の素材となる鋼板１１は、プレスによる打ち抜き後の材料１１ａに曲げ加工を施すことで、断面略Ｕ字を呈するものとして設けられる。すなわち、鋼板１１は、底部１２および底部１２を挟む２つの辺部１３を有するように折れ曲がっている。そして、鋼板１１を複数枚積層してなる積層単位１４を、複数、組み合わせることでコア１の骨格１５が構成される（図２〜図６等参照）。
【００１２】
ここで、積層単位１４は、底部１２が積み重なる底積層部１７、辺部１３が積み重なる２つの辺積層部１８からなる。そして、骨格１５は複数の積層単位１４が環状に配置されて構成される。このとき、底積層部１７は複数組み合わさって内周側で筒部分１９を形成し、辺積層部１８は外周側に突出する。
【００１３】
そして、骨格１５の内、筒部分１９がヨーク９の一部をなす。
また、周方向に隣り合う２つの積層単位１４の組合せにおいて周方向に隣り合って当接する２つの辺積層部１８により１つのティース１０が構成される。すなわち、隣り合う２つの積層単位１４の組合せにおいて、周方向一方側の積層単位１４の２つの辺積層部１８の内、周方向他方側に位置する辺積層部１８と、周方向他方側の積層単位１４の２つの辺積層部１８の内、周方向一方側に位置する辺積層部１８とが周方向に当接して１つのティース１０をなす。
【００１４】
なお、辺部１３の先端には、骨格１５やコア１として組み入れられたときに軸方向両端に伸びる鍔部２０が設けられており、鍔部２０も底部１２や辺部１３と同様に積み重なって鍔積層部２１を構成する。ここで、鍔積層部２１は、コア１と磁石７との磁束の受渡を強化するものであり、磁石７の軸方向長さに応じて軸方向への突出量が決められている。
【００１５】
さらに、コア１によれば、一部の鋼板１１は、底部１２の一部を折り曲げてヨーク９の内周側に突出させることができる突出片２３を有する変形鋼板２４である。また、突出片２３には、穴２５が貫通している。ここで、突出片２３は、図３に示すように、曲げ加工前の材料１１ａにおいて、長手方向に対し垂直に同一平面状に張り出す部分である。また、突出片２３は２つ設けられており、２つの突出片２３は、材料１１ａの幅方向両側に長手方向軸を対称軸として線対称をなす。
【００１６】
また、変形鋼板２４が含まれる積層単位１４Ａでは最外周に変形鋼板２４が配置され、突出片２３は、ヨーク９の軸方向一端側、他端側に配置される。そして、突出片２３は、垂直に折り曲げられてヨーク９の軸方向一端側、他端側でヨーク９の内周側に突出する。
ここで、積層単位１４Ａは、１２０°の角度間隔で存在するように３ヶ所に組み入れられる。そして、２つの突出片２３の間には円筒状のカラー２７が配置され、カラー２７の内周は穴２５とともに貫通穴２８を構成する（図１および図７参照。）。
【００１７】
そして、ティース１０にコイル６を巻いてステータ３を構成した後、ステータ３を内燃機関側の部材であるカバー３０に嵌めてネジ締結する。ここで、突出片２３の内周端は、コア１の内周端をなし、カバー３０に設けられた円筒３１に外嵌めされる。そして、コア１を円筒３１に外嵌めした状態で貫通穴２８にボルト３２の軸部３２ａを通してネジ締結することで、ステータ３が車両に搭載される。なお、軸部３２ａは、カバー３０に設けられたネジ穴３３に螺合する。
【００１８】
〔実施例の効果〕
実施例のコア１によれば、素材となる鋼板１１は、底部１２および底部１２を挟む２つの辺部１３を有するように折れ曲がり、鋼板１１を複数枚積層してなる積層単位１４を、複数、組み合わせることで骨格１５が構成される。また、骨格１５は複数の積層単位１４が環状に配置されて構成され、積層単位１４の内の底部１２が積み重なる底積層部１７が複数組み合わさって内周側で筒部分１９を形成し、辺積層部１８が外周側に突出する。そして、骨格１５の内、筒部分１９がヨーク９をなすとともに、辺積層部１８がティース１０をなす。
【００１９】
また、一部の鋼板１１は、底部１２の一部を折り曲げてヨーク９の内周側に突出させることができる突出片２３を有する変形鋼板２４であり、突出片２３には、穴２５が貫通している。
これにより、プレスによる打ち抜きにより発生する廃棄部分の一部を突出片２３として変形鋼板２４に含ませることができるので、廃棄部分を低減することができる。
【００２０】
また、折り曲げ後の２つの突出片２３の間にはカラー２７が配置される。
これにより、突出片２３を他部材へのネジ締結に利用する場合に、締結力に対して補強することができる。
さらに、突出片２３の内周端は、内燃機関側の円筒３１に対して外嵌めされる。
これにより、ステータ３をいわゆるインローにより組み付けることを考えた場合、嵌合用に別部位を設けなくてもよい。
【００２１】
〔変形例〕
コア１の構成は、実施例に限定されず、種々の変形例を考えることができる。
例えば、実施例のコア１によれば、変形鋼板２４は２つの突出片２３を有しており、２つの突出片２３は、垂直に折り曲げられてヨーク９の軸方向一端側、他端側でヨーク９の内周側に突出するものであったが、変形鋼板２４や突出片２３の態様は実施例に限定されない。
【００２２】
例えば、変形鋼板２４に突出片２３を１つだけ設け、積層単位１４Ａに含まれる鋼板１１を、全て、突出片２３を１つだけ有する変形鋼板２４とし、突出片２３をヨーク９の軸方向一端側に配置するとともにヨーク９の軸方向一端側でヨーク９の内周側に突出させてもよい（図８参照。）。
【００２３】
また、実施例のコア１によれば、突出片２３の内周端が内燃機関側の円筒３１に対して外嵌めされていたが、ステータ３と内燃機関側の部材とのインローの態様は実施例に限定されない。
例えば、カラー２７の外周を円筒３１に対して外嵌めすることで、ステータ３と内燃機関側の部材とのインローを構成してもよい。
【００２４】
さらに、実施例のコア１は、発電機２のステータコアとして利用されていたが、同期モータ、誘導モータおよびリラクタンスモータ等の電動機にコア１を利用してもよく、ロータコアとしてコア１を利用してもよい。
【符号の説明】
【００２５】
１  コア  ２  発電機（回転電機）  ９  ヨーク  １０  ティース  １１  鋼板
１２  底部  １３  辺部  １４、１４Ａ  積層単位  １５  骨格  １７  底積層部
１８  辺積層部  １９  筒部分  ２３  突出片  ２４  変形鋼板  ２５  穴
【図１】
2015076937.tif 000003
【図２】
2015076937.tif 000004
【図３】
2015076937.tif 000005
【図４】
2015076937.tif 000006
【図５】
2015076937.tif 000007
【図６】
2015076937.tif 000008
【図７】
2015076937.tif 000009
【図８】
2015076937.tif 000010